(57)【特許請求の範囲】
【請求項１】
平面視が多角形である工具本体（２）の少なくとも頂角部（５）の上面側に、立方晶窒化硼素を含有する超高硬度焼結体（１）を接合し、該超高硬度焼結体（１）に切刃及びチップブレーカが形成されたスローアウェイチップにおいて、
前記超高硬度焼結体（１）の上面と側面の交差部に面取り部（７）が形成され、
前記チップブレーカは、前記頂角部（５）の頂角を２等分する断面に対して略対称な形状であり、かつ突起部（６）及び該突起部（６）と前記頂角部（５）間に平坦部（８）を有し、
前記突起部（６）頂上の１組の稜線（６ｂ，６ｃ）は直線状又は円弧状であって、
前記突起部（６）の直線状稜線、又は該突起部（６）の円弧状稜線を２等分する点における該円弧状稜線の接線と、前記頂角の２等分線（９ａ）とのなす角をθとし、前記頂角をαとした場合、θは６／１０×α≦θ≦９０−１／１０×αの範囲内であり、
かつ前記突起部（６）頂上の前記１組の稜線（６ｂ，６ｃ）が交差する第１交点（Ｐ）と、一方の前記稜線（６ｂ）の端点（Ｓ）とを結ぶ線分の長さをＬ１とし、他方の前記稜線（６ｃ）の端点（Ｔ）と前記第１交点（Ｐ）とを結ぶ線分の長さをＬ１'としたときに、その線分比率が０．９≦Ｌ１’／Ｌ１≦１．１の範囲内であり、かつ前記第１交点（Ｐ）から前記一方の稜線（６ｂ）の端点（Ｓ）を通る直線と前記工具本体（２）の外周との第２交点（Ｑ）と、前記第１交点（Ｐ）とを結ぶ線分の長さをＬ２としたとき、０．２≦Ｌ１／Ｌ２≦０．８となり、前記頂角部（５）の先端部（９）における前記面取り部（７）の幅を、前記一方の稜線（６ｂ）の端点（Ｓ）と隣り合う位置の前記面取り部（７）の幅よりも狭くしたことを特徴とするスローアウェイチップ。
【請求項２】
超高硬度焼結体（１）の前記平坦部（８）及び該平坦部（８）に隣接する前記面取り部（７）の面粗さが、十点平均粗さ（ＲｚＪＩＳ９４）で、０．１μｍ以上で０．５μｍ未満であることを特徴とする請求項１に記載のスローアウェイチップ。
【請求項３】
前記面取り部（７）と前記工具本体（２）上面が形成する角が、１５度以上４５度以下の範囲内であることを特徴とする請求項１に記載のスローアウェイチップ。
【請求項４】
前記頂角部（５）の先端部（９）における前記面取り部（７）の幅が、平面視において、０．０２ｍｍ以上０．２ｍｍ以下の範囲内であることを特徴とする請求項１に記載のスローアウェイチップ。
【請求項５】
前記頂角部（５）の先端部（９）と前記第１交点（Ｐ）との距離が、平面視において、０．１ｍｍ以上２ｍｍ以下の範囲内であることを特徴とする請求項１に記載のスローアウェイチップ。
【請求項６】
前記頂角部（５）の先端部（９）と前記第１交点（Ｐ）の高さの差が０．０２ｍｍ以上で０．５ｍｍ以下の範囲内であることを特徴とする請求項１に記載のスローアウェイチップ。
【請求項７】
前記平坦部（８）のせん断角度が０度であることを特徴とする請求項１に記載のスローアウェイチップ。
【請求項８】
前記超高硬度焼結体（１）の表面に、周期律表の４ａ、５ａ及び６ａ族元素並びにＡｌ、Ｓｉ及びＢからなる群から選択される少なくとも１種の元素、該群から選択される少なくとも１種の金属の窒化物、炭化物又は酸化物、又はこれらの固溶体からなる被覆層が形成されていることを特徴とする請求項１に記載のスローアウェイチップ。
【請求項９】
前記超高硬度焼結体（１）の表面に被覆層が形成された前記平坦部（８）と、該平坦部（８）に隣接する前記面取り部（７）との面粗さが、十点平均粗さ（ＲｚＪＩＳ９４）で、０．１μｍ以上で１．０μｍ以下であることを特徴とする請求項１に記載のスローアウェイチップ。
【発明の詳細な説明】
【技術分野】
【０００１】
本発明は、工具本体の頂角部に、立方晶窒化硼素を含有する超高硬度焼結体からなる刃先を接合し、優れた切り屑処理性を有するスローアウェイチップに関する。
【背景技術】
【０００２】
微細な立方晶窒化硼素粉末を種々の結合材を用いて焼結した素材を刃先とする、立方晶窒化硼素焼結体切削工具は、高硬度の鉄族金属や鋳鉄等の切削に対して優れた性能を示す。【０００３】
近年、工作機械の自動化や生産工程の無人運転化に伴い、切削工具の長寿命化とともに、切り屑処理性の向上も、連続運転に必要不可欠な項目として求められるようになった。しかし、従来の立方晶窒化硼素焼結体切削工具には、切り屑の分断を目的としたチップブレーカを有するものはほとんどなく、このため、工作機械の自動運転中に、切り屑の巻き込みによる被削材や工具の着脱異常や、被削面の悪化等の問題が生じやすく、場合によっては自動運転が不可能となり生産性の向上を阻害する一因ともなっていた。【０００４】
一方、特開平８−１５５７０２号公報、特開平４−２１７４０４号公報〜特開平４−２１７４０９号公報、特開平８−５２６０５号公報等には、チップブレーカを有する硬質焼結体切削工具が示されている。これらの文献に記載の切削工具においては、１条または複数の直線的なブレーカ形状が形成され、該形状により切り屑を渦巻き状にカールさせ、切り屑処理を可能としている。【０００５】
しかしながら、このような単純な形状のチップブレーカ付き切削工具では、ツーリングによっては左右異なる勝手付きの工具が必要となる、外径加工、端面加工のそれぞれに対して、それぞれにあったブレーカ付き工具が必要となる、又、切削条件、特に送り量又は切込み量が異なる切削条件に対して、各条件に対応するブレーカ付き工具が必要となる等の問題があった。【０００６】
特に焼入鋼において、１度に０．３〜０．７ｍｍ程度の切込みを行い浸炭焼入層を除去する加工（浸炭除去加工）では、取しろにより被削材硬度が大きく変化し、この硬度の違いにより切り屑流出方向、および切り屑処理性が変化する。そこで、この浸炭除去加工では、被削材硬度にあったブレーカ付き工具が必要となる。すなわち、従来のブレーカ付き工具では特定の切削条件でしか切り屑処理の効果が得られず、広い範囲の加工条件には適用できないので、要求される様々なツーリングにより複数の工具が必要となるとの問題があった。【０００７】
又、特開平４−２１７４０４号公報〜特開平４−２１７４０９号公報に記載の切削工具では、切り屑をカールしやすくする為に、チップブレーカの超高硬度焼結体の上面の面粗さを０．５Ｓ以上１０Ｓ以下等に設定している。しかし、硬度が高い被削材の切削、特に焼入鋼の切削においては切り屑が硬く、超高硬度焼結体の面粗さが０．５Ｓ以上では、切り屑による摩擦抵抗が大きくなり、擦過により発熱して工具すくい面が損傷しやすい。その結果、クレーター摩耗の進展により工具形状が変化し切り屑処理性が低下するとの問題があった。【０００８】
次に、特開平８−５２６０５号公報には、チップブレーカを有し、かつ正のせん断角度がすくい面の切削用フェースに形成されたことを特徴とする切削工具が開示されている。しかしながら、この切削工具は、刃先強度が、安定した切削を行うためには充分でない問題があり、焼入鋼等の高硬度の被削材を切削する場合には、切刃が切削中に欠損する頻度が高くなる問題があった。
【特許文献１】特開平８−１５５７０２号公報
【特許文献２】特開平４−２１７４０４号公報
【特許文献３】特開平４−２１７４０５号公報
【特許文献４】特開平４−２１７４０６号公報
【特許文献５】特開平４−２１７４０７号公報
【特許文献６】特開平４−２１７４０８号公報
【特許文献７】特開平４−２１７４０９号公報
【特許文献８】特開平８−５２６０５号公報
【発明の開示】
【発明が解決しようとする課題】
【０００９】
本発明は、上記の従来技術の問題を解決するためになされたものであり、加工条件の広い範囲について切り屑処理性に優れ、特に焼入鋼切削の浸炭除去加工における被削材硬度の大きな変化にも適用でき、かつ長寿命の切り屑処理効果を有するスローアウェイチップを提供することを目的とする。
【課題を解決するための手段】
【００１０】
本発明に係るスローアウェイチップは、平面視が多角形である工具本体の少なくとも頂角部上面側に、立方晶窒化硼素を含有する超高硬度焼結体を接合し、該超高硬度焼結体に切刃及びチップブレーカが形成されたものである。そして、超高硬度焼結体の上面と側面の交差部に面取り部が形成される。チップブレーカは、頂角部の頂角を２等分する断面に対して略対称な形状であり、かつ突起部及び該突起部と頂角部間に平坦部（ランド）を有する。該突起部頂上の１組の稜線は直線状又は円弧状である。該突起部の直線状稜線、又は当該突起部の円弧状稜線を２等分する点における当該円弧状稜線の接線と、頂角の２等分線とのなす角をθとし、該頂角をαとした場合、θは６／１０×α≦θ≦９０−１／１０×αの範囲内であり、かつ該突起部頂上の１組の稜線が交差する第１交点と、一方の稜線の端点とを結ぶ線分の長さをＬ１とし、他方の稜線の端点と第１交点とを結ぶ線分の長さをＬ１'としたときに、その線分の比率が０．９≦Ｌ１’／Ｌ１≦１．１の範囲内であり、かつ第１交点から一方の稜線の端点を通る直線と該工具本体の外周との第２交点と、第１交点とを結ぶ線分の長さをＬ２としたとき、０．２≦Ｌ１／Ｌ２≦０．８となる。【００１１】
以上の構成とすることにより、広範囲な切削条件に対して優れた切り屑処理効果を発揮する。その結果、ツーリングによって左右異なる勝手付きの工具が必要であった問題、外径加工、端面加工のそれぞれについて、それぞれにあった切削工具が必要であった問題、送り量又は切込み量が異なる切削条件に対して、各条件に対応する切削工具が必要であった問題、さらには焼入鋼切削の浸炭除去加工等、被削材硬度が大きく変わる切削において被削材硬度に合わせた複数の切削工具が必要であった問題等が解消される。【００１２】
本発明のスローアウェイチップの工具本体は、上面側から見た場合の平面視の形状が多角形であるが、通常は、平面視の形状が三角形、四角形のものが用いられる。本発明のスローアウェイチップの工具本体においては、少なくとも、該多角形の頂角部の上面側に、立方晶窒化硼素を含有する超高硬度焼結体が接合されている。該超高硬度焼結体は、立方晶窒化硼素の粉末を焼結して形成されるものであり、好ましくは立方晶窒化硼素を２０容量％以上、より好ましくは、立方晶窒化硼素を主体とするものであり、通常４０容量％以上含有するものが用いられる。【００１３】
該多角形の頂角部先端（ノーズ）は、切刃として機能するが、通常この部分は円弧状でノーズＲが形成されている。該超高硬度焼結体は、さらに切り屑の処理を目的としてチップブレーカを有する。【００１４】
本発明のスローアウェイチップにおいては、該超高硬度焼結体の上面と側面の交差部に面取り部（以下ネガランドと言う。）が形成されている。ネガランドを形成することにより、刃先の強度が上がり、スローアウェイチップの寿命が向上する。なお、ネガランドは、刃先強度向上のため少なくとも該超高硬度焼結体部分に施されるが、切り屑処理性が損なわれない限り、工具本体に施されても構わない。【００１５】
チップブレーカは、突起部を有するとともに、突起部と切刃の間には平坦部（ランド、以下ランド部と言う。）が形成されている。該突起部は、平面視においては、切刃側に突出しスローアウェイチップの外周側（平面視における多角形の辺側）に向かうに従って切刃側から後退する形状を有し、又切刃から遠ざかるに従って上昇する傾斜面と、該突起部の頂上面よりなる。前記のように、本発明のスローアウェイチップにおいては、該傾斜面と頂上面とにより形成される稜線は、直線状又は円弧状である。【００１６】
本発明のスローアウェイチップは、上記のθ及びＬ１'/Ｌ１、Ｌ１／Ｌ２が、上記の範囲内にあることをその特徴とする。高硬度材料、特に焼入鋼切削の浸炭除去加工により被削材硬度が大きく変わる切削において、外径加工の送り量や切込み量が大きい切削では、切り屑流出方向が安定せず、頂角先端部のノーズＲの中心から外れ工具外周部へ切り屑が流出する場合があり、特に、被削材硬度が低い場合は、切り屑流出方向が安定しない傾向がある。又、端面加工では切り屑がノーズＲ中心から外れ工具外周部よりに流出する場合がある。しかし、θ及びＬ１'/Ｌ１、Ｌ１／Ｌ２を上記の範囲とすることにより、これらの問題が解決される。【００１７】
θが６／１０×α未満であると、焼入鋼の外径加工、特に浸炭除去加工の場合、突起部の中央部に流出した切り屑が、該突起部先端に衝突して、該突起中央部が切削中に欠損する頻度が高くなる。特に、焼入鋼の浸炭除去加工で、切込みや送り量の大きい場合は、厚みの大きい切り屑によりこのような欠損が発生しやすくなる。又、端面加工において送り量が大きい場合、切り屑流出方向はノーズＲ中心を外れ、突起部外周方向になる傾向が高く、θが６／１０×α未満であると、外周部に位置する突起部に、切り屑が衝突するまでの距離が大きくなるので、切り屑をカールさせることが難しくなる。【００１８】
θが９０−１／１０×αを越えると、外径加工において、送り量や切込み量が大きい加工条件では、切り屑が詰まり気味に流出されるので、突起部に切り屑が乗り上げてしまい大径カールの切り屑が生成しやすくなり、その結果、切り屑処理効果を発揮することが困難になる。又、端面加工においても、外径加工と同様に切り屑が詰まり気味となる為、切り屑処理効果を発揮することが困難になる。【００１９】
さらに、浸炭除去加工においては、被削材硬度が低い場合の切削も行われるが、この場合、切り屑が詰まり気味に流出すると、ランド部や突起部への被削材（切り屑）の溶着が発生しやすくなり、これに起因して、切削中に切刃及びチップブレーカ部が欠損することになり、著しく工具寿命を低下させてしまう原因にもなる。又、θが９０−１／１０×αを越えると、突起部のノーズＲ方向への突出が小さくなり、突起部の形状は１条の直線型形状に近くなるので、送り量や切込み量が小さい加工条件等では、切り屑処理性が低下し、広範囲な加工条件に対して適用できなくなる。【００２０】
Ｌ１'/Ｌ１の値が０．９未満、または、１．１より大きい場合では、勝手付き形状が強くなる為、外径加工と端面加工共に切りくずをカールさせることが困難になるとなり多様なツーリングに対応できなくなってしまう。Ｌ１／Ｌ２が０．２未満では、ノーズＲ中心を外れ工具外周部よりに流出した切り屑が、突起部に衝突しにくくなり、切り屑をカールさせることが困難になる。特に、外径加工において送り量や切込み量が大きい場合、切り屑の流出方向が不安定になるので、この問題が発生しやすい。また、端面加工においても外径加工と同様に、切り屑が突起部に衝突しにくく、適切なカール径をもった切り屑を生成することが困難になる。【００２１】
一方、Ｌ１／Ｌ２が０．８を越える場合、工具外周部近傍まで突起部が延びているので、突起部に切り屑が乗り上げ大径カールの切り屑を排出し、切り屑処理性を低下させる問題が発生しやすい。特に送り量や切込み量が大きい加工条件の切削では、この傾向が大きい。又、突起部に衝突した切り屑がカールし排出される場合に、突起部の外周部にて切り屑の排出性が低下し、切り屑詰まりを発生しやすい。さらに、突起部が切り屑詰まりによる負荷により欠損する場合もある。【００２２】
上記の構成に加え、本発明は、より好ましい態様として、下記の構成も提供する。なお、下記の構成の中の２つ以上を適宜組合わせてもよい。【００２３】
すなわち、本発明のスローアウェイチップでは、超高硬度焼結体の該ランド部及びランド部に隣接する該面取り部の面粗さが、十点平均粗さ（ＲｚＪＩＳ９４）で、０．１μｍ以上で０．５μｍ未満であることが好ましい。ここで面粗さは、ＪＩＳ規格で規定されるＲｚＪＩＳ９４の基準に準じて測定された値である。【００２４】
超高硬度焼結体のランド部の面粗さを、０．５μｍ未満にすることにより、切り屑による摩擦抵抗が低減され、擦過による発熱を抑制することができ、工具すくい面の損傷を低減することができる。その結果、クレーター摩耗の進展による工具形状変化を抑制することができ、切削距離が長くなっても加工初期の優れた切り屑処理性が維持される。一方、面粗さ０．１μｍ未満の工具を得るためには、製作する労力が著しく大きくなるので、経済的観点からは、面粗さ０．１μｍ以上が好ましい。【００２５】
また、本発明のスローアウェイチップにおいては、ネガランドと工具本体上面が形成する角（ネガランド角度）が、１５度以上で４５度以下の範囲内であることが好ましい。ネガランド角度をこの範囲とすることにより、刃先の強度が高くなり、切削中に加工負荷による刃先の欠損が抑えられ、安定した加工寸法を得ることができる。【００２６】
さらに、本発明のスローアウェイチップにおいては、頂角の先端部におけるネガランドの幅（ネガランド幅）が、平面視において、０．０２ｍｍ以上０．２ｍｍ以下の範囲であることが好ましい。頂角の先端部におけるネガランド幅が０．０２ｍｍ以上であると、刃先を強化する効果に優れ、切刃が切削中に欠損する頻度を著しく抑制することができる。一方、０．２ｍｍ以下であると、クレーター摩耗の進展により、工具形状が変化しても優れた切り屑処理性の効果を維持することができる。【００２７】
さらに、本発明のスローアウェイチップにおいては、頂角の先端部（ノーズＲを有する場合は、ノーズＲに該当する。）と第１交点（Ｐ）との距離が、平面視において、０．１ｍｍ以上で２ｍｍ以下の範囲内であることが好ましい。頂角の先端部と第１交点（Ｐ）との距離を、この範囲内とすることにより、適切なブレーカ幅、高さとなり、優れた切り屑処理性が得られる。より具体的には、この距離を０．１ｍｍ以上とすることにより、切り屑がランド部及び突起部と衝突するときの擦過による発熱を小さくすることができ、クレーター摩耗の進展により工具形状が変化しても、優れた切り屑処理性を発揮することができる。一方、この距離を２ｍｍ以下とすることにより、クレーター摩耗の進展により工具形状が変化し、切り屑がランド部に対して上向きに流出した場合でも、切り屑が突起部に衝突し、切り屑に十分な歪を与えることができ、長い切り屑処理効果を得ることができる。【００２８】
さらに、本発明のスローアウェイチップにおいて、頂角の先端部と第１交点（Ｐ）の高さの差が０．０２ｍｍ以上０．５ｍｍ以下の範囲内であることが好ましい。この高さの差が０．０２ｍｍ以上の場合は、加工距離が長くなり、クレーター摩耗が進展し、工具形状が変化した場合においても、優れた切り屑処理効果を発揮することができる。一方、０．５ｍｍよりも大きくしても、切り屑処理性はほぼ同等であるが、製作に要する労力が著しく大きくなるので、経済的観点からは０．５ｍｍ以下が好ましい。【００２９】
さらに、本発明のスローアウェイチップにおいては、ランド部のせん断角度が０度であることが好ましい。突起部と切刃との間のランド部が、正のせん断角を持たない形状であることにより、焼入鋼等の高硬度材料を切削する際に必要となる刃先強度を十分得ることができる。また、切刃が切削中に欠損する頻度を抑制することができ、工具寿命を向上させることができる。【００３０】
さらに、本発明のスローアウェイチップにおいては、該超高硬度焼結体の表面に、周期律表の４ａ、５ａ及び６ａ族元素並びにＡｌ、Ｓｉ及びＢからなる群から選択される少なくとも１種の元素、該群から選択される少なくとも１種の金属の窒化物、炭化物又は酸化物、又はこれらの固溶体からなる被覆層が形成されていることが好ましい。該超高硬度焼結体の表面に、上記の被覆層が形成されることにより、切削工具としての耐摩耗性が著しく向上し、擦過による発熱を抑制することができ、クレーター摩耗の進展による工具形状変化を抑制することができる。そして、工具寿命を向上させるとともに、持続的な高い切り屑処理性が得られる。【００３１】
また、超高硬度焼結体の表面に被覆層が形成された平坦部（ランド）及び該平坦部（ランド）に隣接する面取り部の面粗さが、十点平均粗さ（ＲｚＪＩＳ９４）で、０．１μｍ以上で１．０μｍ以下であることが好ましい。【００３２】
超高硬度焼結体の表面に、上記の皮膜層を形成させた場合には、該超高硬度焼結体の上面に形成された皮膜層の表面粗さを１．０μｍ以下にすることにより、耐熱性に優れる皮膜層の効果により、工具すくい面の損傷を低減することができる。その結果、クレーター摩耗の進展による工具形状変化を抑制することができ、切削距離が長くなっても加工初期の優れた切り屑処理性が維持される。一方、面粗さ０．１μｍ未満の工具を得るためには、製作する労力が著しく大きくなるので、経済的観点からは、面粗さ０．１μｍ以上が好ましい。
【発明の効果】
【００３３】
本発明のスローアウェイチップは、高硬度材料の切削において、優れた切り屑コントロール性を有し、広い範囲の加工条件に適用可能である。例えば、焼入鋼切削における外径加工及び端面加工の切削において、切り屑が中央部に流出した場合、ノーズＲ中心を外れ工具外周部付近に流出した場合等、切り屑流出が不安定になった場合も、切り屑が、突起傾斜部に衝突することによりカールし分断される。このように本発明のスローアウェイチップは、高い切り屑処理性が要求される場合にも対応でき、かつ長寿命の切り屑処理効果を有することができる。さらには、浸炭除去加工のように被削材硬度が大きく変わる場合での切削加工においても、長い切り屑処理効果を有することができ、又広い範囲の加工条件に対応できることから、個々のツーリング毎に複数の切削工具を必要とした従来の問題をも解消することができる。中でも、ランド部の面粗さを良好にした本発明のスローアウェイチップは、より優れた切り屑処理性を維持することができ、より長い工具寿命が得られる。さらには同一チップの有効利用、チップ交換なしでの送り条件の変更等がより容易になる。
【図面の簡単な説明】
【００３４】
【図１Ａ】本発明のスローアウェイチップの一例を示す斜視図である。
【図１Ｂ】本発明のスローアウェイチップの他の一例を示す斜視図である。
【図２】本発明のスローアウェイチップの一例の切刃近傍の構造を示す平面図である。
【図３】本発明のスローアウェイチップの一例の切刃近傍の構造を示す側面図である。
【図４】実験例１で、良好な結果が得られる範囲を示したグラフ図である。
【図５】本発明のスローアウェイチップの他の一例の切刃近傍の構造を示す平面図である。
【符号の説明】
【００３５】
１  超高硬度焼結体、２  工具本体、３  超硬合金基体、４  取り付け穴、５  頂角部、６  突起部、６ａ  傾斜面、６ｂ  稜線、６c  稜線、６d  円弧状稜線の２等分点、７  ネガランド、７ａ  ネガランド幅、８  ランド部、９  ノーズ、９ａ  頂角の２等分線。
【発明を実施するための最良の形態】
【００３６】
図１Ａ及び図１Ｂは、本発明のスローアウェイチップの一例を示す斜視図である。図１Ａの例では、工具本体２の平面視の形状が四角形で、超硬合金製の工具本体２の各頂角部５に、立方晶窒化硼素を２０容量％以上含有する超高硬度焼結体１と超硬合金基体３とが一体化された２層構造がロウ付けされている。図１Ｂの例は、工具本体２の平面視の形状が三角形で、超硬合金製の工具本体２の各頂角部５に、立方晶窒化硼素を２０容量％以上含有する超高硬度焼結体１が直接ロウ付けされたスローアウェイチップである。【００３７】
これらのスローアウェイチップは、例えば、取り付け穴４を用いてホルダー（図示省略）に装着される。なお、本実施の形態のスローアウェイチップは、超高硬度焼結体がホルダーに直接ロー付けされたバイトとしても応用することができる。本実施の形態のスローアウェイチップは、切削工具の切削性能に関与する最も重要な部分である切刃近傍の構造に、その特徴を有するものである。【００３８】
図２は、本発明のスローアウェイチップの一例の切刃近傍の構造を示す平面図である。図３は、本発明のスローアウェイチップの一例の切刃近傍の構造を示す側面図である。図２、図３に示すように、スローアウエイチップの切刃近傍のすくい面、すなわち超高硬度焼結体１の上面には突起部６が形成されている。突起部６は、傾斜面６ａを有する。又突起部６は、刃先の頂角を２等分する断面に対して類似の形状である。【００３９】
図２、図３に示すように、頂角部先端（ノーズ９）、すなわち切刃の刃先は、円弧状でノーズＲを形成している。突起部６とノーズ９（刃先）との間にはせん断角度０度としたランド部８を有している。せん断角度０度とすることにより、工具寿命が向上する。【００４０】
傾斜面６ａは突起部頂上において稜線６ｂと稜線６ｃを形成しており、該稜線６ｂと頂角（ノーズＲ）の二等分線９ａとのなす角θ（すなわちの稜線６ｂと頂角を２等分する断面とのなす角θ）は、頂角αについて、６／１０×α≦θ≦９０−１／１０×αとなる範囲である。又、該稜線６ｂと該稜線６ｃとの交点（第１交点）Ｐと、該稜線６ｂの端点Ｓとを結ぶ線分の長さをＬ１とし、また、交点Ｐと該稜線６ｃの端点Ｔとを結ぶ線分の長さＬ１'とし、該稜線からなる線分比率が０．９≦Ｌ１'/Ｌ１≦１．１となる範囲であり、該交点Ｐから該端点Ｓを通る直線と該工具本体の外周との交点（第２交点）Ｑとを結ぶ線分の長さをＬ２としたとき、Ｌ１及びＬ２は、０．２≦Ｌ１／Ｌ２≦０．８を満たす。【００４１】
超高硬度焼結体上面の工具すくい面に形成されるランド部８及びネガランドのランド部８に隣接する部分の面粗さは、０．１μｍ以上０．５μｍ未満であり、その結果上記の効果をより発揮することができる。なお面粗さは、触針により測定し、ＪＩＳ規格で規定されるＲｚＪＩＳ９４の基準に準ずる。【００４２】
図２、図３に示すように、このスローアウェイチップは、面取り部（ネガランド７）を有する。ネガランド７と工具本体上面が形成する角β（ネガランド角）は、１５度以上で４５度以下の範囲内である。又、平面視において、頂角の先端部におけるネガランド幅７ａは、０．０２ｍｍ以上で０．２ｍｍ以下の範囲内である。その結果、優れた刃先の強度が得られる。【００４３】
図２、図３に示すスローアウェイチップでは、頂角の先端部（ノーズ部先端）と交点Ｐとの距離Ｂ（以下ブレーカ幅Ｂとする。）は、平面視において、０．１ｍｍ以上で２ｍｍ以下の範囲内である。又、頂角の先端部（ネガランド部を除くノーズ部先端）と交点Ｐとの高さの差Ｈ（以下ブレーカ高さＨとする。）は、０．０２ｍｍ以上で０．５ｍｍ以下の範囲内である。その結果、より優れた切り屑処理性が得られる。【００４４】
さらに、図２、図３に示すスローアウェイチップでは、超高硬度焼結体１の表面に、周期律表の４ａ、５ａ及び６ａ族元素並びにＡｌ、Ｓｉ及びＢからなる群から選択される少なくとも１種の元素、該群から選択される少なくとも１種の金属の窒化物、炭化物又は酸化物、又はこれらの固溶体からなる被覆層（図示されていない。）が形成されている。被覆層を構成する材料として具体的には、ＴｉＮ、ＴｉＡｌＮ、ＴｉＣＮ等が好ましく挙げられる。その結果、切削工具としての耐摩耗性が著しく向上し、工具寿命が向上するとともに高い切り屑処理性が持続される等の優れた効果が得られる。【００４５】
超高硬度焼結体の表面に皮膜を形成した工具すくい面に形成されるランド部８及びネガランドのランド部８に隣接する部分の面粗さが０．１μｍ以上１．０μｍ以下であり、その結果上記の効果をより発揮することができる。【００４６】
図５は、本発明のスローアウェイチップの他の一例の切刃近傍の構造を示す平面図である。図２、図３の例では稜線６ｂは直線状であるが、この図５の例では稜線６ｂは円弧状である。円弧状とすることにより、ノーズＲ中心を外れ工具外周側に流出した切り屑や不安定に流出した切り屑が、傾斜面に衝突した際の、安定した切り屑排出をより容易にする。【００４７】
この例においては、θは、頂角の２等分線９ａと、該円弧状稜線６ｂの２等分点６ｄにおける当該円弧の接線とのなす角である。この例においても、Ｌ１は、稜線６ｂと頂角の２等分線９ａとの交点Ｐと、稜線６ａの端点Ｓとを結ぶ線分の長さであり、Ｌ１’は、稜線６ｂと頂角の２等分線９ａとの交点Ｐと、稜線６ｃの端点Ｔとを結ぶ線分の長さであり、Ｌ２は、該交点Ｐと、該交点Ｐから該端点Ｓを通る直線と該工具本体の外周との交点Ｑとを結ぶ線分の長さである。その他については、図２、図３の例とほぼ同等であるので、説明を割愛する。
【実施例】
【００４８】
次に本発明の実施例及び比較例により本発明をより具体的に説明するが、これらの実施例は、本発明の範囲を限定するものではない。【００４９】
（１）実験例１
下記の本発明品スローアウェイチップ及び従来品スローアウェイチップを用い、ＳＣＭ４１５浸炭材について、切削速度をＶ＝１２０ｍ／ｍｉｎとし、切込みｄ及び送りｆを下記表１及び表２に記載のように種々変更して、外径加工及び端面加工を行った。それぞれの切削条件について、切り屑状態及び切り屑長さを求め、切り屑処理性を評価した。その結果を表１（外径加工）及び表２（端面加工）に示す。なお、切り屑状態は、ＩＮＦＯＳの切り屑分類にて示した。
使用チップ：ＣＮＭＡ１２０４０８
［本発明品スローアウェイチップ］
θ＝６０°、Ｌ１'／Ｌ１＝１、Ｌ１／Ｌ２＝０．５、ＲｚＪＩＳ９４＝０．３μｍ（ランド部及びにランド部隣接したネガランド部の面粗さ。以下の実験例においても同じ）、ネガランド角は２５°、ネガランド幅は０．１ｍｍ、ブレーカ幅は０．４ｍｍ、ブレーカ高さは０．２５ｍｍである。
［従来品スローアウェイチップ］
勝手付き工具、ＲｚＪＩＳ９４＝０．３μｍ、ネガランド角は２５°、ネガランド幅は０．１ｍｍ、ブレーカ幅は０．４ｍｍ、ブレーカ高さは０．２５ｍｍである。【００５０】
【表１】
0004704212.tif 000002
【００５１】
【表２】
0004704212.tif 000003
【００５２】
図４は、上記の実験において、良好な結果が得られるｆ及びｄの範囲を示したグラフ図である。図中の範囲Ａ及び範囲Ｂは、それぞれ本発明品及び従来品（外径加工）について、切り屑状態が良好（ＩＮＦＯＳの切り屑分類で５型以上）でかつ切り屑長さ１０ｃｍ以下が得られる範囲（切り屑処理範囲）を示す。この図から分かるように、本発明品は、外径加工および端面加工いずれについても、広範囲の切削条件で切り屑処理性が良好であることがわかる。一方、従来品は、狭い範囲の加工条件のみ切り屑処理性が良好である。具体的には、外径加工のＡ１４のみで、良好な切り屑処理効果が得られ、他の条件では良好な効果は得られない。又、外径加工において良好な切り屑処理効果が得られた条件と同じ条件で端面加工を行った場合（Ｂ１４）では良好な効果は得られていない。すなわち、この実験結果は、本発明のスローアウェイチップは、加工条件の広い範囲について切り屑処理性に優れていることを示している。【００５３】
（２）実験例２［θの影響］
下記の、θを種々変化させたスローアウェイチップを用い、ＳＣＭ４１５浸炭材について、切削条件：Ｖ＝１２０ｍ／ｍｉｎ、ｄ＝０．５ｍｍ、ｆ＝０．２ｍｍ／ｒｅｖで、外径加工及び端面加工を行った。各スローアウェイチップについて、切り屑状態及び切り屑長さを求め、切り屑処理性を評価した。その結果を表３（外径加工）及び表４（端面加工）に示す。なお、切り屑状態は、ＩＮＦＯＳの切り屑分類にて示した。
使用チップ：ＣＮＭＡ１２０４０８
θ：下記表３及び表４に示す。なお、頂角αは、８０°であるので、６／１０×α＝４８°、９０−１／１０×α＝８２°であり、θの範囲は、４８°〜８２°である。【００５４】
Ｌ１'／Ｌ１＝１、Ｌ１／Ｌ２＝０．５、ＲｚＪＩＳ９４＝０．３μｍ、ネガランド角は２５°、ネガランド幅は０．１ｍｍ、ブレーカ幅は０．４ｍｍ、ブレーカ高さは０．２５ｍｍである。【００５５】
【表３】
0004704212.tif 000004
【００５６】
【表４】
0004704212.tif 000005
【００５７】
外径加工では、θが４８°より小さいＣ１の場合はもつれた切り屑になるのに対して、θが４８°〜８２°の範囲内であるＣ２〜Ｃ６の場合は規則的にカールしコントロールされた切り屑が得られた。又、θが８２°を越えるＣ７の場合ではフラットな切り屑が得られ、被削材に巻きつき切り屑処理効果がなかった。一方、端面加工では、θが４８°〜８２°の範囲内であるＤ２〜Ｄ６は規則的な螺旋型切り屑となっており、適度に分断されて切り屑処理効果があった。しかし、θが４８°〜８２°の範囲外であるＤ１、Ｄ７では、切り屑は分断しなかった。この結果は、θが６／１０×α≦θ≦９０−１／１０×αの範囲であると、良好な切り屑処理性を得られることを示している。【００５８】
（３）実験例３［Ｌ１／Ｌ２の影響］
下記の、Ｌ１／Ｌ２を種々変化させたスローアウェイチップを用い、ＳＣＭ４１５浸炭材について、切削条件：Ｖ＝１２０ｍ／ｍｉｎ、ｄ＝０．５ｍｍ、ｆ＝０．２ｍｍ／ｒｅｖで、外径加工及び端面加工を行った。各スローアウェイチップについて、切り屑状態及び切り屑長さを求め、切り屑処理性を評価した。その結果を表５（外径加工）及び表６（端面加工）に示す。なお、切り屑状態は、ＩＮＦＯＳの切り屑分類にて示した。
使用チップ：ＣＮＭＡ１２０４０８
θ＝６０°、Ｌ１'／Ｌ１＝１、Ｌ１／Ｌ２：下記表５及び表６に示す。【００５９】
ＲｚＪＩＳ９４＝０．３μｍ、ネガランド角は２５°、ネガランド幅は０．１ｍｍ、ブレーカ幅は０．４ｍｍ、ブレーカ高さは０．２５ｍｍである。【００６０】
【表５】
0004704212.tif 000006
【００６１】
【表６】
0004704212.tif 000007
【００６２】
外径加工、端面加工ともに０．２≦Ｌ１／Ｌ２≦０．８の場合は、規則的にカールし、適度な長さに分断され被削材に巻きつくことはなく、切り屑処理効果が得られた。一方、Ｌ１／Ｌ２＝０．１、０．９の場合、フラットな切り屑が得られ、被削材への巻きつきが発生しており切り屑処理効果がなかった。この結果は、Ｌ１／Ｌ２が０．２≦Ｌ１／Ｌ２≦０．８の範囲であると、良好な切り屑処理性を得られることを示している。【００６３】
（４）実験例４［Ｌ１'／Ｌ１の影響］
下記の、Ｌ１’／Ｌ１を種々変化させたスローアウェイチップを用い、ＳＣＭ４１５浸炭材について、切削条件：Ｖ＝１２０ｍ／ｍｉｎ、ｄ＝０．５ｍｍ、ｆ＝０．２ｍｍ／ｒｅｖで、外径加工及び端面加工を行った。各スローアウェイチップについて、切り屑状態及び切り屑長さを求め、切り屑処理性を評価した。その結果を表７（外径加工）及び表８（端面加工）に示す。なお、切り屑状態は、ＩＮＦＯＳの切り屑分類にて示した。
使用チップ：ＣＮＭＡ１２０４０８
θ＝６０°、Ｌ１'／Ｌ１：下記表７及び表８に示す。Ｌ１／Ｌ２＝０．５、ＲｚＪＩＳ９４＝０．３μｍ、ネガランド角は２５°、ネガランド幅は０．１ｍｍ、ブレーカ幅は０．４ｍｍ、ブレーカ高さは０．２５ｍｍである。【００６４】
【表７】
0004704212.tif 000008
【００６５】
【表８】
0004704212.tif 000009
【００６６】
外径加工、端面加工ともに、０．９≦Ｌ１'／Ｌ１≦１．１の場合は、規則的にカールし、適度な長さに分断され被削材に巻きつくことはなく、切り屑処理効果が得られた。一方、Ｌ１’／Ｌ１＜０．９、Ｌ１’／Ｌ１＞１．１の場合、端面加工において比較的長い切り屑が得られた。この結果は、Ｌ１’／Ｌ１が０．９≦Ｌ１'／Ｌ１≦１．１の範囲であると、外径加工と端面加工とも良好な切り屑処理性を得られることを示している。【００６７】
（５）実施例５［ランド部の面粗さの影響］
下記の、超高硬度焼結体のランド部（本実験例においては、ランド部に隣接したネガランド部も含む意味である。）の面粗さ（ＲｚＪＩＳ９４）を種々変化させたスローアウェイチップを用い、ＳＣＭ４１５浸炭材について、切削条件：Ｖ＝１２０ｍ／ｍｉｎ、ｄ＝０．５ｍｍ、ｆ＝０．２ｍｍ／ｒｅｖで、外径加工を行った。各スローアウェイチップについて、切削開始初期の切り屑状態（切り屑分類、切り屑長さ、以下同じ）、切削長が３ｋｍに達したときの切り屑状態、切削長が５ｋｍに達したときの切り屑状態を求め、切り屑処理性を評価した。その結果を表９に示す。なお、表中の切り屑分類は、ＩＮＦＯＳの切り屑分類である。
使用チップ：ＣＮＭＡ１２０４０８
θ＝６０°、Ｌ１'／Ｌ１＝１、Ｌ１／Ｌ２＝０．５、ＲｚＪＩＳ９４：下記表９に示す。ネガランド角は２５°、ネガランド幅は０．１ｍｍ、ブレーカ幅は０．４ｍｍ、ブレーカ高さは０．２５ｍｍである。【００６８】
【表９】
0004704212.tif 000010
【００６９】
表９の結果が示すように、加工初期はいずれも切り屑状態は良好である。しかし、ランド部の面粗さが、０．５μｍ未満のＩ１〜Ｉ６の場合は、切削距離が長くなっても、初期の優れた切り屑状態が維持されている。一方、Ｉ７〜Ｉ９は初期の切り屑状態は良好であるが、切削距離が長くなるにつれて、切り屑状態が変化し、切り屑の長さも長くなる傾向が示されている。なお、切り屑が長くなっても、被削材やホルダーに絡むことはなかった。【００７０】
表９の結果は、ランド部の面粗さが０．５μｍ以上でも未満でも、初期の切り屑状態は同等であるが、０．５μｍ未満の場合は、初期の優れた切り屑処理性が維持されることを示している。その為、工具すくい面の面粗さは０．５μｍ未満が望ましいと考えられる。【００７１】
（６）実験例６［工具刃先に形成するネガランドの角度の影響］
下記の、ネガランドの角度を種々変化させたスローアウェイチップを用い、ＳＣＭ４１５浸炭材について、切削条件：Ｖ＝１２０ｍ／ｍｉｎ、ｄ＝０．５ｍｍ、ｆ＝０．２ｍｍ／ｒｅｖで、外径加工を行った。各スローアウェイチップについて、３０本加工後の被削材直径寸法、及び欠損に至るまでの加工本数を求めた。その結果を表１０に示す。
使用チップ：ＣＮＭＡ１２０４０８
θ＝６０°、Ｌ１／Ｌ２＝０．５、ＲｚＪＩＳ９４＝０．３μｍ、ネガランド角：下記表１０に示す。ネガランド幅は０．１ｍｍ、ブレーカ幅は０．４ｍｍ、ブレーカ高さは０．２５ｍｍである。【００７２】
【表１０】
0004704212.tif 000011
【００７３】
表１０の結果から明らかなように、ネガランドを形成していないＪ１は、比較テストの中では最も早期に刃先に欠損が発生した。また、Ｊ２は、３０本加工後寸法は一番良好であるが、他の工具に比べ早期に欠損が発生している。一方、ネガランド角を大きくすると、欠損が発生しにくく、長寿命となる傾向がある。しかし、ネガランド角が４５度を越え５０度となると、切削抵抗が高くなるため、加工本数はかえって減少した。ネガランド角がさらに大きくなると、被削材の寸法精度は低下し、被削材外径の要求寸法精度：５０ｍｍ±０．０２５ｍｍを満たすことさえ困難となった。【００７４】
一方、ネガランド角が１５度〜４５度の範囲内にあるＪ３〜Ｊ７は、安定した被削材直径寸法を得ることが可能であり、かつ刃先に欠損が発生しないため、長寿命を達成することが可能であった。この結果は、工具刃先のネガランド面の角度が１５度〜４５度の範囲内にあるとき、より良好な切削性能を得られることを示している。なお、この実験において、切り屑処理性はいずれの工具も問題なく、良好であった。【００７５】
（７）実験例７［工具刃先に形成するネガランドの幅の影響］
下記の、ネガランドの幅を種々変化させたスローアウェイチップを用い、ＳＣＭ４１５浸炭材について、切削条件：Ｖ＝１２０ｍ／ｍｉｎ、ｄ＝０．５ｍｍ、ｆ＝０．２ｍｍ／ｒｅｖで、外径加工を行った。各スローアウェイチップについて、３０本加工後の被削材直径寸法、及び欠損に至るまでの加工本数を求めた。その結果を表１１に示す。
使用チップ：ＣＮＭＡ１２０４０８
θ＝６０°、Ｌ１'／Ｌ１＝１、Ｌ１／Ｌ２＝０．５、ＲｚＪＩＳ９４＝０．３μｍ、ネガランド角は２５°、ネガランド幅：下記表１１に示す。ブレーカ幅は０．４ｍｍ、ブレーカ高さは０．２５ｍｍである。【００７６】
【表１１】
0004704212.tif 000012
【００７７】
表１１の結果から明らかなように、ネガランドを形成していないＫ１は、最も早期に刃先に欠損が発生した。一方、ネガランド幅が大きいＫ５は、比較テストの中で最も欠損が発生しにくく長寿命であるものの、ネガランド幅が大きいため、切削抵抗が高くなり被削材の寸法精度は、比較テスト中では最も低い結果となった。【００７８】
これに対して、Ｋ２〜Ｋ４は、安定した被削材直径寸法を得ることが可能であり、かつ刃先に欠損が発生しないため、長寿命を達成することが可能であった。この結果は、工具刃先のネガランド面の幅が、０．０２ｍｍ〜０．２ｍｍの範囲内にある時、より良好な切削性能を得られることを示している。なお、このテストにおいて、切り屑の処理性はいずれの工具も問題なく、良好であった。【００７９】
（８）実験例８［ランド部のせん断角度（すくい角）の影響］
下記の、ランド部のせん断角度（刃先頂角２等分線上）を種々変化させたスローアウェイチップを用い、ＳＣＭ４１５浸炭材について、切削条件：Ｖ＝１２０ｍ／ｍｉｎ、ｄ＝０．５ｍｍ、ｆ＝０．２ｍｍ／ｒｅｖで、外径加工を行った。各スローアウェイチップについて、３０本加工後の被削材直径寸法、及び欠損に至るまでの加工本数を求めた。その結果を表１２に示す。
使用チップ：ＣＮＭＡ１２０４０８
θ＝６０°、Ｌ１'／Ｌ１＝１、Ｌ１／Ｌ２＝０．５、ＲｚＪＩＳ９４＝０．３μｍ、ネガランド角は２５°、ネガランド幅は０．１ｍｍ、ブレーカ幅は０．４ｍｍ、ブレーカ高さは０．２５ｍｍである。【００８０】
【表１２】
0004704212.tif 000013
【００８１】
表１２の結果より明らかなように、すくい角を大きくとったＬ４は比較テストの中では最も早期に刃先に欠損が発生した。また、Ｌ３は、３０本加工後寸法は一番良好であるが、他に比べ早期に欠損が発生している。すくい角を小さくすると、欠損が発生しにくく長寿命となる傾向がある。特にすくい角が０°のＬ１は、安定した被削材直径寸法を得ることが可能であり、かつ刃先に欠損が発生しないため、長寿命を達成することが可能であった。これらの結果より、ランド部の剪断角は０度とし、ブレーカ溝を形成しない方が、より良好な切削性能を得られることが、明らかとなった。なお、このテストにおいて、切り屑の処理性はいずれの工具も問題なく、良好であった。【００８２】
（９）実験例９［工具刃先の被覆層の影響］
立方晶窒化硼素を含有する超高硬度焼結体の表面に、蒸着により被覆層を形成した場合の影響を調べた。下記スローアウェイチップを用い、超高硬度焼結体の表面に被覆層を形成した。下表１１中のＭ１は被覆層なしのスローアウェイチップ、Ｍ２はＰＶＤ法により厚さ２μｍのＴｉＮの被覆層を形成したスローアウェイチップ、Ｍ３はＰＶＤ法により厚さ２μｍのＴｉＡｌＮの被覆層を形成したスローアウェイチップ、Ｍ４はＰＶＤ法により厚さ２μｍのＴｉＣＮの被覆層を形成したスローアウェイチップである。これらのスローアウェイチップを用い、ＳＣＭ４１５浸炭材について、切削条件：Ｖ＝１２０ｍ／ｍｉｎ、ｄ＝０．３ｍｍ、ｆ＝０．１ｍｍ／ｒｅｖで、外径加工を行った。各スローアウェイチップについて、切削開始初期の切り屑状態（切り屑分類、切り屑長さ、以下同じ）、切削長が５ｋｍに達したときの切り屑状態、切削長が８ｋｍに達したときの切り屑状態を求め、切り屑処理性を評価した。その結果を表１３に示す。なお、表中の切り屑分類は、ＩＮＦＯＳの切り屑分類である。
使用チップ：ＣＮＭＡ１２０４０８
θ＝６０°、Ｌ１'／Ｌ１＝1、Ｌ１／Ｌ２＝０．５、ネガランド角は２５°、ネガランド幅は０．１ｍｍ、ブレーカ幅は０．４ｍｍ、ブレーカ高さは０．２５ｍｍである。【００８３】
【表１３】
0004704212.tif 000014
【００８４】
この結果は、加工初期はいずれも切り屑状態は良好であるが、切削距離が長くなるにつれて、切屑状態が長くなる傾向を示している。被覆層が形成されたスローアウェイチップと被覆層が形成されていないスローアウェイチップを比較すると、被覆層が形成されたスローアウェイチップの方が、被覆層の効果により、工具形状変化を抑制することができ、初期の優れた切り屑状態が長く維持されている。なお、切り屑が長くなっても被削材やホルダーに絡むことはなかった。【００８５】
（１０）実験例１０［皮膜を形成したランド部の面粗さの影響］
下記の、超高硬度焼結体に皮膜層を形成した場合のランド部（本実験例においては、ランド部に隣接したネガランド部も含む意味である。）の面粗さ（ＲｚＪＩＳ９４）を種々変化させたスローアウェイチップを用い、ＳＣＭ４１５浸炭材について、切削条件：Ｖ＝１２０ｍ／ｍｉｎ、ｄ＝０．５ｍｍ、ｆ＝０．２ｍｍ／ｒｅｖで、外径加工を行った。各スローアウェイチップについて、切削開始初期の切り屑状態（切り屑分類、切り屑長さ、以下同じ）、切削長が３ｋｍに達したときの切り屑状態、切削長が５ｋｍに達したときの切り屑状態を求め、切り屑処理性を評価した。その結果を表１４に示す。なお、表中の切り屑分類は、ＩＮＦＯＳの切り屑分類である。
使用チップ：ＣＮＭＡ１２０４０８
θ＝６０°、Ｌ１'／Ｌ１＝１、Ｌ１／Ｌ２＝０．５、ＲｚＪＩＳ９４：下記表１４に示す。ネガランド角は２５°、ネガランド幅は０．１ｍｍ、ブレーカ幅は０．４ｍｍ、ブレーカ高さは０．２５ｍｍ、皮膜層：ＴｉＮである。【００８６】
【表１４】
0004704212.tif 000015
【００８７】
表１４の結果が示すように、加工初期はいずれも切り屑状態は良好である。ランド部の面粗さが、１．０μｍ以下のＮ１〜Ｎ７の場合は、切削距離が長くなっても、初期の優れた切り屑状態が維持されている。一方、Ｎ８〜Ｎ９は初期の切り屑状態は良好であるが、切削距離が長くなるにつれて、切り屑状態が変化し、切り屑の長さも長くなる傾向が示されている。なお、切り屑が長くなっても、被削材やホルダーに絡むことはなかった。【００８８】
表１４の結果は、超高硬度焼結体表面に被覆したランド部の面粗さが１．０μｍ以上でも未満でも、初期の切り屑状態は同等であるが、１．０μｍ以下の場合は、初期の優れた切り屑処理性が維持されることを示している。その為、超高硬度焼結体表面に被覆した工具すくい面の面粗さは１．０μｍ以下が望ましいと考えられる。【００８９】
以上のように本発明の実施の形態および実施例について説明を行なったが、各実施の形態および実施例の特徴を適宜組合せることも当初から予定している。また、今回開示された実施の形態および実施例はすべての点で例示であって制限的なものではないと考えられるべきである。本発明の範囲は請求の範囲によって示され、請求の範囲と均等の意味および範囲内でのすべての変更が含まれることが意図される。
【産業上の利用可能性】
【００９０】
本発明は、スローアウェイチップに有効に適用され得る。
【図１Ａ】
0004704212.tif 000016
【図１Ｂ】
0004704212.tif 000017
【図２】
0004704212.tif 000018
【図３】
0004704212.tif 000019
【図４】
0004704212.tif 000020
【図５】
0004704212.tif 000021